(57)【要約】      （修正有）【課題】前側支柱の係止部周囲の強度を高めて集中荷重による座屈変形を防止し得る積み重ね可能な棚構造を提供する。【解決手段】棚体１は、四隅に立設された内部中空状の支柱２〜５と、両側辺梁部材６，７と、後辺梁部材８と、各支柱の上端部に設けられた棚枠９とを備えている。前側支柱２，３のそれぞれの下端部に係合突部を有する係合部１５を設ける一方、上端部に上側棚体の係合部が嵌合係止する凹状の係止部１６を設け、係止部を、前側支柱の上端部の各外筒部２ａと、外筒部の内部に収容されて溶接によって固定された内筒部とによって隔成された段差状の空間部によって構成した。内筒部の上端縁に施された複数の溶接部うち、一部の溶接部を、補強プレート１４の配設位置と反対側でかつ上側棚体から受ける集中荷重の発生部位に周方向に沿って長く施した。【選択図】図１
2007126251.tif 000002
【特許請求の範囲】
【請求項１】
四隅に立設された内部中空状の支柱と、該前側の左右両支柱の下部と後側の左右両支柱の下部との間に前後方向に沿って配設された両側辺梁部材と、前記後側の両支柱の下部間に横方向に沿って配設された後辺梁部材と、を備えた複数の棚体を上下に積み重ね可能な棚構造であって、
前記前側の両支柱の上端部あるいは下端部に凸状の係合部を設けると共に、前記前側の両支柱の上端部あるいは下端部に、上側に積み重ねられた別異の棚体の前記各係合部が嵌合係止する凹状の係止部を設け、
前記凹状の係止部を、前記各支柱の上端部あるいは下端部と、該上端部あるいは下端部の内部に溶接によって固定された内筒部とによって内外二重の筒部によって隔成すると共に、
前記内筒部の外端縁に施された溶接部を、前記各棚体を積み重ねた際に、上側の棚体側から受ける集中荷重の発生部位に施したことを特徴とする積み重ね可能な棚構造。
【請求項２】
前記内筒部の外端縁を、前記各支柱の開口端縁よりも各支柱の内部軸方向の所定位置にオフセット配置して、前記凹状係止部を段差径状に形成したことを特徴とする請求項１に記載の積み重ね可能な棚構造。
【請求項３】
前記各支柱の上端部に水平な棚枠を設け、該棚枠の前側の両支柱の上端部を連結する上部梁部材の前面と該前面とほぼ同一平面上に位置する前側の両支柱の前面との間に、補強プレートを跨設したことを特徴とする請求項１または２に記載の積み重ね可能な棚構造。
【請求項４】
前記溶接部を、前記補強プレートとほぼ反対側に位置する前記内筒部と支柱との間に施したことを特徴とする請求項３に記載の積み重ね可能な棚構造。
【請求項５】
前記溶接部を、集中荷重の発生する箇所に各支柱の前後方向に沿って長く形成したことを特徴とする請求項１〜４のいずれかに記載の積み重ね可能な棚構造。
【請求項６】
前記左右の前側支柱と前記左右の両側辺梁部材を、前記左右の後側支柱の横幅及び前記棚枠の横方向の幅よりも左右外方位置に配置したことを特徴とする請求項１〜５のいずれかに記載の積み重ね可能な棚構造。
【請求項７】
前記左右の両側辺梁部材の上面前後位置に、所定高さを有する短尺な支持部材をそれぞれ設けたことを特徴とする請求項６に記載の積み重ね可能な棚構造。
【請求項８】
前記補強プレートを、長尺な板材からほぼ直角に屈曲形成された単一プレートを打ち抜き加工によって形成し、該単一プレートの屈曲中心線を、長尺な板材の幅方向の中心線に沿って合わせながら長手方向に連続して打ち抜き形成したことを特徴とする請求項３〜７のいずれかに記載の積み重ね可能な棚構造。
【請求項９】
前記内外二重の筒部をそれぞれロール成形によって筒状に折曲形成し、各折曲した突き合わせ対向縁を溶接によって結合すると共に、前記各筒部のそれぞれの突き合わせ対向縁位置を円周方向にオフセット配置したことを特徴とする請求項１〜８のいずれかに記載の積み重ね可能な棚構造。
【発明の詳細な説明】
【技術分野】
【０００１】
本発明は、いわゆるパレットの外周側に配置されたかご状の棚体の構造に関し、とりわけ棚体の上下に設けられた係合部と係止部とを嵌合して複数段積み重ね可能な棚構造に関する。
【背景技術】
【０００２】
周知のように、例えば自動車部品や冷凍肉などを載置して倉庫に収容管理するためのパレットは、その外周側にかご状に形成された棚体を利用して複数段積み重ねられて、倉庫内の省スペース化が図られるようになっている。
【０００３】
かかる、従来における積み重ね可能な棚構造としては、例えば、本出願人が先に出願した以下の特許文献1に記載されたものがある。
【０００４】
概略を説明すれば、この棚構造は、それぞれの棚体が四隅に立設された内部中空状の４本の支柱と、該左右両前側支柱と左右両後側支柱との間に前後方向に沿って配置された両側辺梁部材と、前記両後側支柱間に横方向に沿って配置された後部後辺梁部材と、前記各支柱の上端部間に設けられて、パレットを載置可能な矩形状の棚枠とを備え、この棚枠は、ほぼ格子状に複数の枠部材が配置されて形成されている。
【０００５】
前記各支柱は、横断面ほぼ正方形の角柱状に形成されて、前側の両支柱の各下端部には、球面状の底面を有する係合部であるボッチ状の係合突部が設けられている一方、前側の両支柱の各上端部には、上側に積み重ねられる棚体の前記係合突部が嵌合する係止部である矩形状の係止凹部がそれぞれ形成されている。
【０００６】
そして、各棚体を積み重ねるには、下側棚体の上方にフォークリフトによって持ち上がられた上側の棚体を、下側棚体の上部に位置決めしつつ下側棚体の前側支柱の各係止凹部に上側棚体の各係合突部を合致させて上方から嵌合することによって、上下の棚体を連結するようになっている。これによって、各棚体を複数段積み重ね可能になっている。
【特許文献１】特開２００１−３１２２６号公報など
【発明の開示】
【発明が解決しようとする課題】
【０００７】
しかしながら、前記従来の積み重ね可能な棚構造にあっては、各係止凹部が、支柱の上端部を何ら加工などをすることなく、単に中空状支柱の一重の周壁のままで凹状に形成されていることから、前述のように、下側の棚体に上側の棚体が複数段積み重ねられ、棚体の棚枠上に各パレットを介して載置された重量物からの大きな荷重が、上側の支柱の各係合突部を介して下側支柱の各係合凹部に大きな座屈荷重が作用する。そうすると、かかる大きな座屈荷重によって係止凹部の周壁が座屈変形を起こすと共に、例えば上側棚体などの揺れなどにも起因して周壁の一部に集中荷重が発生して、ここから亀裂が発生しやすくなり、場合によっては支柱の上端部が破損してしまうおそれがある。
【０００８】
本発明は、前記従来の積み重ね可能な棚構造の技術的課題に鑑みて案出されたもので、支柱の係止部周囲の十分な強度を確保して、座屈荷重による亀裂や破損などを防止し得る耐久性の高い棚構造を提供することを目的としている。
【課題を解決するための手段】
【０００９】
請求項１に記載の発明は、四隅に立設された内部中空状の支柱と、該前側の左右両支柱の下部と後側の左右両支柱の下部との間に前後方向に沿って配設された両側辺梁部材と、前記後側の両支柱の下部間に横方向に沿って配設された後辺梁部材と、を備えた複数の棚体を上下に積み重ね可能な棚構造であって、前記前側の両支柱の上端部あるいは下端部に凸状の係合部を設けると共に、前記前側の両支柱の上端部あるいは下端部に、上側に積み重ねられた別異の棚体の前記各係合部が嵌合係止する凹状の係止部を設け、前記凹状の係止部を、前記各支柱の上端部あるいは下端部と、該上端部あるいは下端部の内部に溶接によって固定された内筒部とによって内外二重の筒部によって隔成すると共に、前記内筒部の外端縁に施された溶接部を、前記各棚体を積み重ねた際に、上側の棚体側から受ける集中荷重の発生部位に施したことを特徴としている。
【００１０】
請求項２に記載の発明は、前記内筒部の外端縁を、前記各支柱の開口端縁よりも各支柱の内部軸方向の所定位置にオフセット配置して、前記凹状係止部を段差径状に形成したことを特徴としている。
【００１１】
請求項３に記載の発明は、前記各支柱の上端部に水平な棚枠を設け、該棚枠の前側の両支柱の上端部を連結する上部梁部材の前面と該前面とほぼ同一平面上に位置する前側の両支柱の前面との間に、補強プレートを跨設したことを特徴としている。
【００１２】
請求項４に記載の発明は、前記溶接部を、前記補強プレートとほぼ反対側に位置する前記内筒部と支柱との間に施したことを特徴としている。
【００１３】
請求項５に記載の発明は、前記溶接部を、集中荷重の発生する箇所に各支柱の前後方向に沿って長く形成したことを特徴としている。
【００１４】
請求項６に記載の発明は、前記左右の前側支柱と前記左右の両側辺梁部材を、前記左右の後側支柱の横幅及び前記棚枠の横方向の幅よりも左右外方位置に配置したことを特徴としている。
【００１５】
請求項７に記載の発明は、前記左右の両側辺梁部材の前後上面に、所定高さを有する短尺な支持部材をそれぞれ設けたことを特徴としている。
【００１６】
請求項８に記載の発明は、前記補強プレートを、長尺な板材からほぼ直角に屈曲形成された単一プレートを打ち抜き加工によって形成し、該単一プレートの屈曲中心線を、長尺な板材の幅方向の中心線に沿って合わせながら長手方向に連続して打ち抜き形成したことを特徴としている。
【００１７】
請求項９に記載の発明は、前記内外二重の筒部をそれぞれロール成形によって筒状に折曲形成し、各折曲した突き合わせ対向縁を溶接によって結合すると共に、前記各筒部のそれぞれの突き合わせ対向縁位置を円周方向にオフセット配置したことを特徴としている。
【発明の効果】
【００１８】
請求項１に記載の発明によれば、積み重ねられた上側の棚体の凸状係合部から荷重を受ける下側の棚体の凹状係止部が、支柱の上端部と内筒部とによって内外二重の段差径部によって隔成されていると共に、集中荷重が掛かる部位に溶接部を施したことから、凹状係止部の強度が高くなって下側の各支柱の上端部周壁に対する座屈変形の発生を十分に防止することが可能になる。
【００１９】
この結果、係止部の一部に集中荷重が発生しても、亀裂や破損などの発生を確実に防止できる。
【００２０】
請求項２に記載の発明によれば、凹状の係止部が、内筒部を介して段差縮径状に形成されていることから、前記凸状の係合部が嵌合した際に、該係合部の先端側が係止部に抱持状態に支持されることになる。このため、上下棚体における上下支柱の安定した連結状態が得られ、径方向のガタの発生を防止することが可能になる。
【００２１】
請求項３に記載の発明によれば、補強プレートによって下側の支柱と上部梁部材との結合強度が向上するため、下側の棚体の全体の強度が高くなる。これによって、上側の棚体を安定に支持することが可能になる。
【００２２】
請求項４に記載の発明によれば、溶接部の特異な形成位置により、前記補強プレートと相俟って凹状の係止部全体の強度が向上する。つまり、溶接部によって補強機能が発揮されることから、前記補強プレートの補強効果と相俟って凹状の係止部（下側支柱の上端部）の強度が向上する。
【００２３】
請求項５に記載の発明によれば、長く形成された溶接部によって集中荷重の発生する箇所の強度が向上することから、大きな荷重による座屈変形の発生を効果的に防止することが可能になる。なお、この溶接部の施す箇所は、必ずしも一カ所に限らないが、前記補強プレートを設けた場合は、その反対側に位置する箇所に形成するだけでよい。
【００２４】
請求項６に記載の発明によれば、左右の前側支柱と両側辺梁部材間の幅長さが、前記棚枠と左右両後側支柱間の幅長さよりも大きいことから、各棚体の不使用時には、下側の棚体に対して上側の各棚体を順次被嵌状態に積み重ねることが可能になる。この結果、不使用時における多くの棚体の収容スペースを大幅に減少させることが可能になる。
【００２５】
請求項７に記載の発明によれば、各支持部材によって両側辺梁部材の強度を高めることができることは勿論のこと、不使用時において前記各棚体を被嵌状態に積み重ねた際に、各支持部材の上面に上側の棚体の両側辺梁部材の下面が当接して、両者間に各支持部材の高さ分だけ隙間が形成される。したがって、この隙間を利用して例えばフォークリフトの爪を挿入することができるので、該不使用時における各棚体の積み重ねや使用時における分離作業を、フォークリフトを利用して容易に行うことが可能になる。
【００２６】
請求項８に記載の発明によれば、長尺な板材から複数の補強プレートを打ち抜きによって形成する際に、この各補強プレートの各屈曲中心線を前記板材の幅中心線に沿って連続して打ち抜くことにより、それぞれがいわゆる若葉マーク形状にすることができることから、隣接する補強プレート間に隙間なく、あるいは僅かな隙間をもって打ち抜くことができる。この結果、板材の歩留まりが良好になり、材料コストの低減化が図れる。
【００２７】
請求項９に記載の発明によれば、各筒部の突き合わせ対向端縁を互いに円周方向へ位置をずらしたことによって、該各対向縁に掛かる拡開方向の荷重を分散させることができるので、強度が向上する。
【発明を実施するための最良の形態】
【００２８】
以下、本発明に係る積み重ね可能な棚構造の実施形態を図面に基づいて詳述する。
【００２９】
図１〜図７は本発明の一実施形態を示し、この積み重ね可能な棚構造は、一つの棚体１が、四隅にそれぞれ立設された４本の支柱２〜５と、該前側の左右両支柱２，３の下部と後側の左右両支柱４，５の下部との間に前後方向に沿って配設された両側辺梁部材６，７と、前記後側の両支柱４，５の下端縁間に横方向に沿って配設された後辺梁部材８と、前記各支柱２〜５の上部に固設された棚枠９とから主として構成され、前記両前側支柱２，３側にパレット１０を内部に収容あるいは取り出す開口部１１が形成されている。なお、内部下面には棚枠が存在せず、パレット１０は直接地面に配置されることになる。
【００３０】
前記各支柱２〜５は、軽量化を図るために、鉄系金属プレートを折り曲げて内部中空の角柱状に形成され、その各横断面形状がほぼ同一に形成されていると共に、前側支柱２，３が、前記後側支柱４，５や棚枠９の後述する左右の両側縦枠部９ｂ、９ｂの外側面よりもそれぞれの幅長さ分（Ｗ）だけ外側に配置されている。
【００３１】
前記各側辺梁部材６，７は、各支柱２〜５と同じ成形方法によって一体に形成されて、前記前側支柱２，３と同じくほぼその幅長さ分（Ｗ）だけ後側支柱４，５などよりも外側に配置されていると共に、各後端部の対向面が前記後辺梁部材８の両端縁に溶接によって固定されている一方、前端縁は図３にも示すように、前側支柱２，３の後面に約３０ｍｍ程度の隙間Ｃをもってそれぞれ配置されている。なお、該前端縁には、水などの侵入を防止する盲板６ａ、７ａが取り付けられている。
【００３２】
また、この各側辺梁部材６，７の前後上面には、所定長さの支持部材１２，１２、１３，１３がそれぞれ溶接によって固定されている。この前側の支持部材１２，１２は、図３にも示すように、前端縁が前側支柱２、３の後面に溶接によって固定されている。したがって、各側辺梁部材６，７の前端部は、各支持部材１２，１２を介して前側支柱２，３と連結している。また、この各支持部材１２〜１３の存在によって各側辺梁部材６，７の上面との間に段差が形成されている。
【００３３】
前記後辺梁部材８は、各支柱２〜５と同じ成形方法によって一体に形成され、後側支柱４，５と同一平面上に配置されて両端部の各上面に後側支柱４，５の下端縁が溶接によって固定されている。
【００３４】
前記棚枠９は、格子状に形成され、前側支柱２，３の上端部間に横方向に配設されて、左右両端部が前側支柱２，３の対向面に溶接固定された上部梁部材である前側横枠部９ａと、該前側横枠部９ａの両端部と後側支柱４，５の上端部との間に前後方向に配設されて、各前後両端部が前側横枠部９ａの両端部と後側支柱４，５の上端縁にそれぞれ溶接固定された両側縦枠部９ｂ，９ｂと、該両側縦枠部９ｂ，９ｂの後端部間に横方向に配設されて、左右両端部が後側支柱４，５の上端部と両側縦枠部９ｂ，９ｂの後端部にそれぞれ溶接固定された後側横枠部９ｃと、横幅方向の中央に前後方向に配置固定された中央縦枠部９ｄと、縦幅方向の前後位置に配設固定された一対の中央横枠部９ｅ、９ｅとから構成されて、全体がほぼ平坦な棚に形成されている。また、棚枠９は、その上面全体の表面積が該上面に載置されるパレット１０の下面全体の表面積とほぼ同一に設定されている。
【００３５】
前記前側支柱２，３の各上端部の前面と、該前面と同一平面の前記前側横枠部９ａの前面との間には、補強プレート１４がそれぞれ跨設されている。この各補強プレート１４は、ほぼ鉤状の若葉マーク形状に形成されて、縦方向に延出した一端部１４ａが各前側支柱２，３の前面に溶接によって固定されている一方、横方向に延出した他端部１４ｂが前記前側横枠部９ａの両端部前面に溶接によって固定されている。
【００３６】
また、前記前側支柱２，３の下端部には、図３〜図５に示すように、凸状の係合部１５，１５が取り付けられている。この各係合部１５は、金属板をプレス成形によって一体に形成されて、前記前側支柱２，３の下端縁に溶接固定された基板１５ａと、該基板１５ａの底面側に一体に設けられた縦断面ほぼＵ字形状の係合突部１５ｂとによって構成されている。前記基板１５ａは、両側部１５ｃ、１５ｃが上方へほぼ直角に折曲形成されて、前側支柱２，３の下端縁との固定力を強化している。一方、前記係合突部１５ｂは、底面１５ｄが安定した着座性を確保するために、平坦に形成されていると共に、底部には各支柱２，３内に侵入した水を外部に排出する水抜き用孔１５ｅが穿設されている。
【００３７】
さらに、前記各前側支柱２，３の上端部内には、図２〜図４に示すように、積み重ねられた上側の棚体１の前記各係合部１５、１５が嵌合係止する凹状の係止部１６、１６が設けられている。
【００３８】
この各係止部１６は、前側支柱２，３の上端部周壁によって構成された外筒部２ａ、３ａと、該外筒部２ａ、３ａの内部に挿通配置された内筒部１７、１７の上端部とによって隔成された空間部によって形成されており、各内筒部１５ａ、１５ａは、鉄系の金属板材を横断面形状が各外筒部２ａ、３ａと相似形の角筒状に形成されて、その長さが図２に示すように所定長さに設定されて、下部の所定位置がプラグ溶接（Ｐ）によって各外筒部２ａ、３ａに固定されて、内外二重の構成により補強機能を発揮している。
【００３９】
また、図８に示すように、前記外筒部２ａ、３ａの円周方向の対向縁２ｂ、３ｂと、内筒部１７、１７の円周方向の対向縁１７ｂとは、それぞれ溶接によって互いの対向縁２ｂ、３ｂ、１７ｂ同士が結合されていると共に、該各対向縁２ｂ、３ｂと１７ｂとは円周方向の反対側の位置に配置されており、これによって内部から拡開方向の強度を互いに補われて、強度が向上している。
【００４０】
また、この内筒部１７は、上端縁１７ａが前記外筒部２ａ、３ａの各上端縁よりも所定量（Ｌ）だけ下方へオフセット配置されて、前記係合部１５との嵌合を容易にするようになっていると共に、該上端縁１７ａの四隅部には、図６に示すように、外筒部２ａ、３ａと結合するための溶接が施されている。この各溶接部中、前記補強プレート１４側と該補強プレート１４から前後方向へ離間した外端側の３カ所の溶接部１８ａ〜１８ｃは、スポット的な点状の溶接となっているが、補強プレート１４から前後方向へ離間した前記両縦枠部９ｂ、９ｂ寄りの１カ所の溶接部１８ｄは、前後方向に長く施されている。
【００４１】
すなわち、この溶接部１８ｄは、図２にも示すように、内筒部１７の前後幅方向のほぼ中央位置から両縦枠部９ｂ側へ水平に細長く施され、さらに隅部から外筒部２ａ、３ａの後辺内まで延設されている。つまり、この部位は、積み重ねられた上側の棚体１からの集中荷重を最も受けやすく、かつ前記補強プレート１４の補強効果を十分に受けられない箇所である。
【００４２】
前記後側支柱４，５の上端部後面、つまり棚枠９の両側辺枠部９ｂ、９ｂと後側枠部９ｃの左右両端側には、図１にも示すように、積み重ねられた上側の棚体１の後方へのスライド移動を規制するストッパプレート１９、１９が溶接によって固定されている。このストッパプレート１９は、ほぼＬ字形状に折曲形成されて、下辺部１９ａが各後側支柱４，５の上端開口を閉塞するように溶接固定されて、各支柱４，５内への水の侵入を防止するようになっている一方、垂直に立ち上がった上辺部１９ｂがストッパとしての機能を発揮するようになっている。なお、各ストッパプレート１９，１９は、前述のように、棚枠９の表面積がパレット１０の表面積とほぼ同一になっていることから、前記載置されたパレット１０を避けるように後方位置に配置されている。
【００４３】
そして、前記構造の棚体１を使用するには、通常は、例えば図１１に示すような二段重ねで使用され、このとき、上側棚体１を予めフォークリフトなどによって持ち上げて該上側棚体１の後部側を、下側棚体１の上部に手前側から重ね合わせてそのまま後方へスライド移動させる。つまり、上側棚体１の下部横梁部材８の両端部を、下側棚体１の棚枠９の両側辺枠部９ｂ、９ｂに重ねてそのまま全体を後方へスライド移動させ、下部横梁部材８の両端部後面が前記両ストッパプレート１９，１９の上辺部１９ｂ、１９ｂに突き当たってそれ以上の移動が規制された時点で、上側棚体１の前側を漸次下降させると、前記両係合突部１５ｂ、１５ｂが、対応する係止部１６，１６内に嵌合して両者が係合する。これによって、下側棚体１に対する上側棚体１への連結作業が簡単に終了する。なお、前記各棚体１は、二段重ねの他に、三段重ね、あるいはそれ以上の積み重ねが可能である。
【００４４】
次に、下側棚体１の棚枠９上に、予め荷物が載置固定されたパレット１０をフォークリフトなどによって位置決めつつ載置する。
【００４５】
このとき、下側棚体１の各支柱２〜５には、前記上側棚体１の自重及び上側棚体１上に載置されたパレット１０上の荷物の大きな荷重が座屈方向へ作用するが、特に大きな荷重が掛かる前側支柱２，３は、前面側では各補強プレート１４、１４による補強効果によって十分な補強がなされている。すなわち、各補強プレート１４，１４によって下側棚体１の前側支柱２，３と上部横枠部９ａとの結合強度が向上するため、下側棚体１の全体の強度が高くなる。これによって、上側棚体１を安定に支持することが可能になる。
【００４６】
また、各係止部１６は、各外筒部２ａ、３ａと１７，１７との二重構造によって強度が高くなっている。しかも集中荷重が作用する外筒部２ａ、３ａの特定部位には、長い溶接部１８ｄが施されていることから、かかる部位の強度も十分に高くなっている。このため、下側棚体１の各前側支柱２，３の上端部周壁、つまり外筒部２ａ、３ａに対する座屈変形の発生を十分に防止することが可能になる。この結果、各係止部１６の一部（外筒部２ａ、３ａの特定部位）に集中荷重が発生しても、前記溶接部１８ｄによって亀裂や破損などの発生を確実に防止できる。これによって、各棚体１全体の耐久性を大幅に向上させることが可能になる。
【００４７】
また、係止部１６，１６が、内筒部１７、１７を介して段差縮径状に形成されていることから、前記係合部１５、１５の係合突部１５ｂ、１５ｂが各係止部１６，１６に嵌合した際に、各係合突部１５ｂ、１５ｂの下端部が各係止部１６，１６に抱持状態に支持されることになる。このため、上下棚体１、１における上下支柱２、２、３、３の安定した連結状態が得られ、径方向のガタの発生を防止することが可能になり、地震などの振動でも外れることがない。
【００４８】
次に、各棚体１の不使用時には、フォークリフトなどによって複数段に重ねられた上側棚体１を下側棚体１から取り外して、互いに重ね合わせる（ネスティング）ことによって倉庫などの所定の場所に保管するわけであるが、この実施形態では、前側支柱２，３及び両側辺梁部材６，７の幅長さが、前記棚枠９と後側両支柱４，５間の幅長さよりも大きいことから、図１２に示すように、下側棚体１に対して上側の各棚体１…を順次被嵌状態に積み重ねることが可能になる。この結果、不使用時における多くの棚体１…の収容スペースを大幅に減少させることが可能になる。
【００４９】
また、この実施形態では、４つの支持部材１２〜１３によって両側辺梁部材６，７の強度を高めることができることは勿論のこと、前述のように、不使用時において前記各棚体１…を被嵌状態に積み重ねた際に、各支持部材１２〜１３の上面に上側棚体１の両側辺梁部材６，７の下面が当接して、両者間に各支持部材１２〜１３の高さ分だけ隙間Ｓが形成される。したがって、この隙間Ｓを利用して例えばフォークリフトの爪を挿入することができるので、該不使用時における各棚体１の積み重ねや使用時における分離作業を、フォークリフトを利用して一人ででも容易に行うことが可能になる。
【００５０】
また、この実施形態では、２つのストッパプレート１９，１９によって下側棚体１に対して上側棚体１の最大後方移動を規制することができるので、上段棚体１の組付作業が容易になる。
【００５１】
前記複数の補強プレート１４を成形加工する方法としては、従来では、補強プレート１４’が、図１０に示すように、ほぼＬ字形状に形成されて、同じく１枚の長尺な細長い金属プレート２０’から打ち抜き加工によって形成されるようになっているが、この従来例では、補強プレート１４’の形状が単純なＬ字形状に形成されていることから、これらを順次連続的に打ち抜いていくと、ほぼ正方形の部位から補強プレート１４’を取り出した形になる。このため、打ち抜き後には、図中斜線で示す比較的大きな面積の正方形状の残余部２０ａ’が残存してしまう。このため、材料の歩留まりが悪化して材料コストの高騰が余儀なくされていた。
【００５２】
これに対して、本実施形態における各補強プレート１４は、図９に示すように、一枚の細長い長尺な金属プレート２０からプレス成形によって打ち抜き加工によって形成されるものであって、この打ち抜き加工としては、該単一プレート２０の両端部１４ａ、１４ｂ間の屈曲中心線Ｑを、長尺な板材の幅長さの中心線Ｑ１に沿って合わせながら長手方向に僅かな隙間をもって連続して打ち抜くようにしたものである。このため、金属プレート２０の材料の歩留まりがきわめて良好になり、材料コストの大幅な低減化が図れる。
【００５３】
また、この実施形態では、前側支柱２，３の各下端部に係合突部１５ｂ、１５ｂが設けられており、かつ棚枠９の上面が平坦に形成されていることから、棚体１の上面にパレットを載置したり、荷物を載置した場合にも邪魔にならずに上面スペースを有効利用することが可能になる。
【００５４】
さらに、各係合部１５，１５を各支柱２，３の上端部に設けずに、下端部側に設けたことから、各棚体１を例えば図１３に示すように横方向に並べ、この２つの棚体１，１の上面に跨って荷物２１を直接載置する場合にも有効である。
【００５５】
さらに、各棚体１の積み重ねパターンとしては、図１４に示すように、二段重ねの棚体１，１の上側棚体１の上面にパレット１０を介して２つの棚枠９，９に跨って荷物２１を載置することも可能である。
【００５６】
本発明は、前記実施形態の構成に限定されるものではなく、例えば、各係合部１５，１５を前側支柱２，３の上端側に設け、係止部１６，１６を前側支柱２，３の下端側に設けることも可能である。また、各溶接部１８ａ〜１８ｄを内筒部１７の上端縁１７ａの全周に亘って施すことも可能であり、この場合は、例えば前記補強プレート１４を設けなくとも十分な外筒部２ａ、３ａの強度を確保することが可能になる。
【００５７】
また、本発明を、例えば押し入れの中で使用する小型の棚として利用することも可能である。
【図面の簡単な説明】
【００５８】
【図１】本発明の実施形態に供される棚体の斜視図である。
【図２】同棚体の要部斜視図である。
【図３】同棚体の前側支柱の下部側を示す要部側面図である。
【図４】本実施形態の係合部を係止部に嵌合させる状態を示す一部断面図である。
【図５】本実施形態に供される係止部の底面図である。
【図６】本実施形態における一方の前側支柱と係止部を示す要部平面図である。
【図７】同一方の前側支柱と前側横枠部との結合状態を示す正面図である。
【図８】本実施形態に供される外筒部と内筒部との嵌合状態を示す横断面図である。
【図９】本実施形態に供される補強プレートの打ち抜き成形状態を示す平面図である。
【図１０】従来における補強プレートの打ち抜き成形状態を平面図である。
【図１１】本実施形態に供される棚体を二段重ねした状態を示す斜視図である。
【図１２】不使用時の各棚体を積み重ねた状態を示す斜視図である。
【図１３】各棚体を並列に並べて荷物を載置した状態を示す斜視図である。
【図１４】各棚体を二段重ねして上段の棚体に荷物を載置した状態を示す正面図である。
【符号の説明】
【００５９】
１…棚体
２、３…前側支柱
２ａ、３ａ…外筒部
４、５…後側支柱
６，７…両側辺梁部材
８…後辺梁部材
９…棚枠
１０…パレット
１４…補強プレート
１５…係合部
１５ａ…基板
１５ｂ…係合突部
１６…係止部
１７…内筒部
１８ａ〜１８ｃ…溶接部
１８ｄ…長い溶接部
１９…ストッパプレート
２０…金属プレート
【図１】
2007126251.tif 000003
【図２】
2007126251.tif 000004
【図３】
2007126251.tif 000005
【図４】
2007126251.tif 000006
【図５】
2007126251.tif 000007
【図６】
2007126251.tif 000008
【図７】
2007126251.tif 000009
【図８】
2007126251.tif 000010
【図９】
2007126251.tif 000011
【図１０】
2007126251.tif 000012
【図１１】
2007126251.tif 000013
【図１２】
2007126251.tif 000014
【図１３】
2007126251.tif 000015
【図１４】
2007126251.tif 000016